(57)【要約】【課題】コアバック時における不要な箇所への射出材料の流れ込みを防止して、第一層の一部を覆うように第二層を射出成形してなる二層構造の射出成形品を低コストに製造する。【解決手段】第一層２を成形した後、第一層２の一部を覆うように第二層３を成形するに際し、第一層２の成形面２１，３１を有するコア３０及びキャビティ２０を使用して第一層２を成形し、第二成形工程で、第一層２が成形面３１に保持された状態のコア３０を型開き方向にスライドさせることで、第一層２とキャビティ２０との間に第二層３を形成するための空間４２を形成し、かつコア３０の型開き動作が終了した状態で、第一層２とキャビティ２０とが摺動する部分を設けることにより、第二層３を形成するための空間４２の端部４２ａをシールする。【選択図】図８
2020104396.tif 000002
【特許請求の範囲】
【請求項１】
第一層を成形する第一成形工程と、前記第一層の一部を覆うように第二層を成形する第二成形工程とを備えた射出成形品の製造方法であって、
前記第一成形工程で、前記第一層の成形面を有するコア及びキャビティを使用して前記第一層を成形し、
前記第二成形工程で、前記第一層が前記成形面に保持された状態の前記コアを型開き方向にスライドさせることで、前記第一層と前記キャビティとの間に前記第二層を形成するための空間を形成し、かつ
前記コアの前記型開き動作が終了した状態で、前記第一層と前記キャビティとが摺動する部分を設けることにより、前記第二層を形成するための空間の端部をシールする、射出成形品の製造方法。
【発明の詳細な説明】
【技術分野】
【０００１】
本発明は、射出成形品の製造方法に関する。
【背景技術】
【０００２】
例えば、自動車のインパネやバンパーなどの大型部品のうち、インパネについては、樹脂で成形するのが一般的である。また、バンパーについても、近年、樹脂化への取り組みが進められている。これら大型部品を成形するに際しては、成形品に対応する形状のコアとキャビティとからなる一対の成形用金型と、射出用ユニットとを備えた射出成形装置を用いて、射出成形を行うのが一般的である。
【０００３】
ここで、例えばインパネを射出成形で製造する場合、インパネの高品質化を図る目的で、特に意匠面の品質向上を図る目的で、射出成形材料に例えば所望の色彩、光沢感、質感などを示し得る樹脂やエラストマー、ゴムなどを使用することが検討され、開発が進められている。しかしながら、インパネは大型部品であるが故に高い強度、剛性が求められることから、意匠品質に優れた材料のみでインパネを成形することは難しい。また、上述した射出材料は汎用の樹脂に比べて高価であることも、上記射出材料のみで成形することを妨げる一因となっている。
【０００４】
そこで、強度や剛性などの機械的特性と、色彩や光沢感、質感などの意匠品質とを共に満たし得るインパネとして、インパネのベースとなる第一層と、第一層に密着して形成され、インパネの意匠面の少なくとも一部（例えば上面部の意匠面）を有する第二層との二層構造をなす射出成形品が考えられる。この二層構造をなす射出成形品の製造方法としては、まず第一の金型で第一層を成形した後、第二層を成形するためのコア上に第一層を移動させた状態で、コアと共に第二層を成形するためのキャビティを用意し、これらコアとキャビティとからなる第二の金型でインサート状態の第一層上に第二層を射出成形する方法が知られている（例えば、特許文献１を参照）。
【０００５】
あるいは、１個のコアと、成形面形状が互いに異なる２個のキャビティとを備えた射出成形装置を用いた射出成形品の製造方法であって、最初に一方のキャビティとコアとを使用して第一層を射出成形し、次に、一方のキャビティと他方のキャビティとを入れ替えて（例えば２個のキャビティを所定の軸まわりに回転又はスライドさせて）他方のキャビティをコアと対向配置した後、コアの成形面上に第一層を配置した状態で、第二層を射出成形する方法が知られている（例えば、特許文献２を参照）。
【先行技術文献】
【特許文献】
【０００６】
【特許文献１】特開２０１５−１６８１１０号公報
【特許文献２】特開２０１１−８４０１６号公報
【発明の概要】
【発明が解決しようとする課題】
【０００７】
このように、特許文献１又は特許文献２に記載の方法を用いて射出成形を行ったのでは、一つの射出成形品に対して複数の金型が必要となるため、コスト面又は設置スペースの面で問題がある。また、第一層の移動やキャビティの回転又はスライドによる金型の交換動作が必要になる分、生産効率の低下も問題となる。そこで、インパネの第二層が第一層の表面と同じ形状にできる場合には、例えば一対のコアとキャビティからなる一つの金型でインパネのベースとなる第一層を射出成形した後、コアを型開き方向にスライドさせて（コアをバックさせて）、コア側に保持された第一層とキャビティとの間に新たに第二層を成形するための空間を形成した状態で、第二層を射出成形する方法が考えられる。この方法であれば、一種類の金型（一対のコアとキャビティ）で二層構造のインパネを得ることができるので、二種類以上の金型を用意する手間、コスト、及びスペースを省いて生産性を高めることが可能となる。
【０００８】
ところで、第二層が第一層の一部を覆うように形成される場合、第二層の端部における第一層の形状によっては、第一層とキャビティとの間に不要な隙間が生じることがある。すなわち、図１１（ａ）に示すように、第一層２０１を成形した後、コア２０２を型開き方向（図１１（ａ）では下方向）にスライドさせることにより、第二層を射出成形するための空間２０３が第一層２０１とキャビティ２０４との間に形成される。しかしながら、射出空間２０３の端部２０３ａにおいて第一層２０１が型開き方向（コア２０２のスライド方向）に沿って延在する形状をなす場合には、抜き勾配との関係で、第一層２０１をコア２０２のスライド方向に対して傾斜させる必要が生じる。その結果、コア２０２の型開き動作に伴い、第一層２０１のスライド方向延在部とキャビティ２０４との間に、無視できない大きさの隙間２０５が生じる（図１１（ｂ）を参照）。これでは第二層の射出空間２０３だけでなく、上述した隙間２０５にまで射出材料が流れ込むおそれが高まるため、材料の使用量が増加し、重量増並びに材料コストの高騰を招く。
【０００９】
上述した問題は何も自動車用インパネに限ったことではなく、コアバックにより第一層の一部を覆うように第二層を射出成形する場合にも起こり得る。
【００１０】
以上の事情に鑑み、本発明では、コアバック時における不要な箇所への射出材料の流れ込みを防止して、第一層の一部を覆うように第二層を射出成形してなる二層構造の射出成形品を低コストに製造可能とすることを、解決すべき技術課題とする。
【課題を解決するための手段】
【００１１】
前記課題の解決は、本発明に係る射出成形品の製造方法によって達成される。すなわち、この製造方法は、第一層を成形する第一成形工程と、第一層の一部を覆うように第二層を成形する第二成形工程とを備えた射出成形品の製造方法であって、第一成形工程で、第一層の成形面を有するコア及びキャビティを使用して第一層を成形し、第二成形工程で、第一層が成形面に保持された状態のコアを型開き方向にスライドさせることで、第一層とキャビティとの間に第二層を形成するための空間を形成し、かつコアの型開き動作が終了した状態で、第一層とキャビティとが摺動する部分を設けることにより、第二層を形成するための空間の端部をシールする点をもって特徴付けられる。
【００１２】
このように、本発明では、コアを型開き方向にスライドさせることで、第一層とキャビティとの間に第二層を形成するための空間を形成する場合に、コアの型開き動作が終了した状態で、第一層とキャビティとが摺動する部分を設けることにより、第二層を射出成形するための空間の端部をシールするようにした。このように第一層とキャビティとの摺動部分により第二層の射出空間の端部をシールすることによって、第二層用の射出材料が不要な箇所（図１１（ｂ）に示す隙間２０５など）に流れ込む事態を防止して、第二層を所要の位置及び範囲に形成することができる。よって、材料増加に伴う射出成形品の重量増加を防止でき、またその分の材料コスト高騰を回避することが可能となる。また、型開き動作の間、キャビティと摺動できるような第一層の表面は、コアバック方向に対して大きく傾斜（実質的に直交）する向きに形成される。言い換えると、キャビティと摺動可能な第一層の表面のうちキャビティと摺動可能な部分は、近接する第二層の表面と実質的に直交する向きに形成される。そのため、仮に摺動に伴い表面に擦り傷が生じたとしても、意匠品質に影響を及ぼすおそれも低い。もちろん、本発明によれば、一種類の金型（一対のコア及びキャビティ）のみで成形することができるので、製造コスト、設置スペースの面でも良好であり、また金型の交換動作等も必要ないため、生産性の面でも良好である。以上より、本発明によれば、二層構造をなす高品質の自動車用インパネを低コストに量産することが可能となる。
【発明の効果】
【００１３】
以上のように、本発明に係る射出成形品の製造方法によれば、コアバック時における不要な箇所への射出材料の流れ込みを防止して、第一層の一部を覆うように第二層を射出成形してなる二層構造の射出成形品を低コストに製造することが可能になる。
【図面の簡単な説明】
【００１４】
【図１】本発明の一実施形態に係る射出成形品の製造方法であって、インパネを射出成形品とする場合の射出成形の概要を説明するための要部斜視図である。
【図２】図１に示す射出成形装置の断面図である。
【図３】図２に示す金型の要部拡大断面図である。
【図４】図１及び図２に示す金型の型締め状態におけるＡ−Ａ断面図であって、（ａ）第一層の射出成形前の状態と、（ｂ）第一層の射出成形後の状態をそれぞれ示す図である。
【図５】図２に示す射出成形装置を用いた射出成形の一例を説明するための図であって、第一層を射出成形した時点における金型の要部拡大断面図である。
【図６】図２に示す射出成形装置を用いた射出成形の一例を説明するための図であって、可動型の型開き動作を開始した直後における金型の要部拡大断面図である。
【図７】図２に示す射出成形装置を用いた射出成形の一例を説明するための図であって、可動型の型開き動作が終了した時点における金型の要部拡大断面図である。
【図８】図１及び図２に示す金型のコアバック動作終了後におけるＡ−Ａ断面図であって、（ａ）第二層の射出成形前の状態と、（ｂ）第二層の射出成形後の状態をそれぞれ示す図である。
【図９】図２に示すスライドブロックのスライド量を概念的に説明するためのベクトル図であって、（ａ）スライド案内面に沿ったスライド量のベクトル分解図と、（ｂ）スライド比調整面に沿ったスライド量のベクトル分解図である。
【図１０】図２に示す射出成形装置を用いた射出成形の一例を説明するための図であって、第二層を射出成形した時点における金型の要部拡大断面図である。
【図１１】他の発明に係る射出成形品の製造方法を説明するための図であって、（ａ）型締め状態における金型要部断面図と、（ｂ）コアバック後の状態における金型要部断面図である。
【発明を実施するための形態】
【００１５】
以下、本発明の一実施形態に係る射出成形品の製造方法の内容を、インパネを射出成形する場合を例にとって説明する。
【００１６】
図１は、本発明の一実施形態に係る射出成形品の製造方法の概要を説明するための図であって、インパネ１（図１０を参照）を射出成形するための射出成形装置１０の概念図を斜視図として示している。この射出成形装置１０は、相互に型締め及び型開き可能な固定型２０及び可動型３０と、固定型２０と可動型３０との間に形成される射出空間４０と、射出空間４０に向けて射出材料を射出するための射出ユニット５０ａ〜５０ｃとを主に備える。ここで、射出空間４０は、射出成形品となる自動車用インパネ１の本体形状（図１中、実線で示す形状）をなしている。本実施形態では、３個の射出ユニット５０ａ〜５０ｃが配設されており、そのうち１個の射出ユニット５０ｃは、後述するインパネ１の第一層２（図１０を参照）の射出成形に使用され、残り２個の射出ユニット５０ａ，５０ｂは、インパネ１の第二層３（図１０を参照）の射出成形に使用される。すなわち、１個の射出ユニット５０ｃは、射出空間４０のうち第一層２に対応した第一射出空間４１に所定の射出材料Ｐ１を射出可能に構成される。また、残り２個の射出ユニット５０ａ，５０ｂは、射出空間４０のうち第二層３に対応した第二射出空間４２に所定の射出材料Ｐ２を射出可能に構成される。
【００１７】
ここで、各射出材料Ｐ１，Ｐ２の流路は、例えば以下のように構成される。固定型２０の射出ユニット５０ａ〜５０ｃ側には、各射出材料Ｐ１，Ｐ２の入口側ゲート部２２が設けられると共に、固定型２０の射出空間４０側には、固定型２０の成形面２１側（図２を参照）に開口する複数の出口側ゲート部２３，２４が設けられる。そして、固定型２０の内部には、入口側ゲート部２２から出口側ゲート部２３，２４に至る複数の分岐した流路が形成されている（図１中破線及び細線で示す部分を参照）。ここで、射出空間４０は、インパネのベースとなる部分、ここでは前面部の一部表層領域及び上面部の表層領域を除く領域に対応する第一射出空間４１と、前面部の一部表層領域と上面部の表層領域に対応する第二射出空間４２とで構成されている。このうち、第一射出空間４１は、固定型２０と可動型３０とを型締めした状態で固定型２０と可動型３０との間に形成され（図３を参照）、第二射出空間４２は、固定型２０と可動型３０とが所定量だけ型開きした状態で固定型２０と可動型３０と間に形成される（図７を参照）。そのため、型締めした状態では、１個の射出ユニット５０ｃから射出された射出材料Ｐ１が、１個の入口側ゲート部２２を介して固定型２０内に流入し、１又は複数個（図１では１個）の出口側ゲート部２３を介して第一射出空間４１に供給されるようになっている。また、型開きした状態では、２個の射出ユニット５０ａ，５０ｂから射出された射出材料Ｐ２が、それぞれ１個の入口側ゲート部２２を介して固定型２０内に流入し、１又は複数個（図１では１個と２個）の出口側ゲート部２４を介して第二射出空間４２に供給されるようになっている。
【００１８】
本実施形態では、各射出ユニット５０ａ〜５０ｃと、入口側ゲート部２２との間に、ホットランナ６０が配設されている。この場合、各射出ユニット５０ａ〜５０ｃのシリンダノズルを前進させて、ホットランナ６０の後端部を押圧することにより、ホットランナ６０が前進し（固定型２０に向けて移動し）、固定型２０のランナ受け部と当接することで、上述した射出材料Ｐ１，Ｐ２の流路が形成されるようになっている。
【００１９】
ここで、射出材料Ｐ１，Ｐ２の材質は任意であり、第一層２及び第二層３に要求される特性に応じた材料を適宜選択することが可能である。例えば本実施形態のように第一層２がインパネ１のベースとなる場合、射出材料Ｐ１には、ポリプロピレンなどの汎用熱可塑性樹脂やエンプラなど、所要の機械的特性を示すと共に相対的に廉価な樹脂を採用することが可能である。また、第二層３が主に意匠品質の向上を目的とする場合、射出材料Ｐ２には、上記樹脂の他、ゴム、エラストマーなど色彩、光沢感、質感などの所定の外観特性を示し得る射出可能な材料を採用することが可能である。
【００２０】
図２は、射出成形装置１０の鉛直方向断面図を示している。正確には、型締め方向をｘ方向、型締め方向に直交する向きをｚ方向としたときのｘｚ仮想平面で切断したときに現れる断面図である。図２に示すように、この射出成形装置１０は、上述のように、固定型２０と、可動型３０と、射出空間４０と、射出ユニット５０ａ〜５０ｃとを備えると共に、固定型２０が取付けられる固定プラテン７０と、可動型３０が取付けられる可動プラテン８０と、固定型２０に設けられるスライドブロック９０、及び追従ブロック１００とをさらに備える。
【００２１】
固定プラテン７０と可動プラテン８０とは図示しないタイバーを介して相対移動可能に連結されており、同じく図示しない駆動装置により可動プラテン８０を固定プラテン７０に向けて移動させることで、可動プラテン８０に取付けられた可動型３０と固定プラテン７０に取付けられた固定型２０とが型締め状態となる。また、可動プラテン８０を固定プラテン７０から遠ざける向きに移動させることで、可動型３０と固定型２０が型開き状態となる。また、ホットランナ６０を固定プラテン７０内部に配設し、型開き方向に沿って移動可能とすることで、各射出ユニット５０ａ〜５０ｃからの押圧力を受けて、ホットランナ６０を固定型２０のランナ受け部に当接可能としている。
【００２２】
本実施形態では、固定型２０はキャビティをなし、可動型３０はコアをなしている。そのため、射出成形品としてのインパネ１の前面部の意匠面側が固定型２０側、反意匠面側が可動型３０側となるように、射出空間４０が設定される。これにより、第一層２（図５）の射出成形後、第一層２がコアとしての可動型３０に保持され、型開き動作時、第一層２が可動型３０と共に型開き方向（図２ではｘ方向）に移動可能とされる。
【００２３】
スライドブロック９０は、固定型２０のうち第二層３に対応する領域に配設される。本実施形態では、インパネ１上面部の意匠面側表層領域を第二層３としているので（図１０を参照）、射出空間４０の上方にスライドブロック９０が配設される。この場合、固定型２０に設けられる成形面２１のうちスライドブロック９０で構成される部分が、第二層３を成形するための第二成形面２１ａとなり、第二成形面２１ａを含む成形面２１全体が第一層２を成形するための第一成形面となる（以下、単に第一成形面２１と称する）。よって、図３に示す型締め状態では、スライドブロック９０の第二成形面２１ａは、可動型３０に設けられた成形面３１との間に第一射出空間４１を形成するための第一成形面２１を構成し、図７に示す型開き状態では、第二成形面２１ａは、第一層２の表面２ａとの間に第二射出空間４２を形成する。
【００２４】
固定型２０には、スライドブロック９０のスライドを案内するスライド案内面１１０が設けられる。このスライド案内面１１０は、常にスライドブロック９０の上面９０ａと当接しており、上面９０ａがスライド案内面１１０と摺動することで、スライドブロック９０を所定の方向にスライド可能としている。本実施形態では、第一層２（図５）の表面２ａのうち上方を指向する領域２ａ１との間に所定の隙間ｔ１（図７）を確保できるよう、スライド案内面１１０の型開き方向（本実施形態ではｘ方向）に対する傾斜角θ１（図３）が設定される。この場合、型開き方向から傾斜角θ１だけ鉛直上方に傾いた向きに沿ってスライドブロック９０がスライド可能とされる。また、本実施形態では、スライドブロック９０を付勢するための付勢部材９１が固定型２０に配設されている。この付勢部材９１は、例えばばね等で構成され、スライドブロック９０をスライド案内面１１０に沿ってスライド可能なように、その付勢方向が設定されている。
【００２５】
また、本実施形態では、可動型３０に、スライドブロック９０のスライド量を調整するスライド比調整面１２０が設けられている。このスライド比調整面１２０は、常にスライドブロック９０の先端面９０ｂと当接しており、型開きに伴い、先端面９０ｂがスライド比調整面１２０と摺動することで、スライドブロック９０をスライド比調整面１２０に沿って所定の方向にスライド可能としている。このスライド動作により、スライド比調整面１２０は、例えば第二層３が図１０に示すようにインパネ１の上面部から前面部の一部にわたって形成される場合に、前面部に形成される部分３ａの厚み寸法が上面部に形成される部分３ｂの厚み寸法よりも大きく減少するのを防止する役割を有する。詳細は後述する。
【００２６】
ここで、スライドブロック９０は、スライド案内面１１０により型開き方向から斜め上方に向けてスライドし、その際の型開き方向（図３のｘ方向）のスライド量と、型開き方向に垂直な向き（図３のｚ方向）のスライド量との割合が、スライド案内面１１０の傾斜角θ１で設定される。これに対し、スライドブロック９０は、スライド比調整面１２０により鉛直上方に移動するにつれて型開き方向と反対の向き（すなわち型締め方向）に移動し、その際の型開き方向に垂直な向き（図３のｚ方向）のスライド量と、型締め方向のスライド量との割合が、スライド比調整面１２０の傾斜角θ２で設定される。
【００２７】
追従ブロック１００は、スライドブロック９０のうち第二層３の端部に対応する位置に設けられる。この追従ブロック１００は、型開き時にスライドブロック９０と共に移動し、かつ可動型３０に追従して型開き方向にスライドする。これにより、二層構造をなすインパネ１の第二層３をなす射出材料Ｐ２の射出時、第一層２側への漏れ出しを防止する機能を有する。本実施形態では、インパネ１前面部の上面部側に第二層３の端部が位置しているので（図１０を参照）、第一射出空間４１のうちインパネ１前面部の上面部側に対応する領域を成形可能な位置に、追従ブロック１００が配設される。この場合、スライドブロック９０に設けられる第二成形面２１ａのうち追従ブロック１００で構成される部分が、第一層２のうち第二層３との境界付近を成形するための第三成形面２１ｂとなる。よって、図３に示す型締め状態では、追従ブロック１００の第三成形面２１ｂは、可動型３０の成形面３１との間に第一射出空間４１を形成するための第一成形面２１を構成し、図７に示す型開き状態では、第三成形面２１ｂは、第一層２の表面２ａに密着する。
【００２８】
また、追従ブロック１００には、図示は省略するが、追従ブロック１００を第一層２の表面２ａに向けて付勢する付勢部材が設けられている。この付勢部材は、例えばスライドブロックを貫通する支持ピン（図示は省略）で支持されており、スライドブロック９０のスライド動作に関係なく、常に所定の方向（本実施形態では第一層２の表面２ａに対向する向き）に追従ブロック１００を付勢可能としている。
【００２９】
図４は、図１に示す射出成形装置１０のＡ−Ａ断面図を示している。正確には、型締め方向（ｘ方向）と、鉛直方向（ｚ方向）の何れとも直交する向きをｙ方向としたとき、射出成形装置１０の金型２０，３０をｙｚ仮想平面で切断したときに現れる断面図である。ここでいうｙ方向は、インパネ１でいえば車幅方向に一致する。そのため、図１及び図４（ａ）において符号４２ａで示す領域は、第二射出空間４２の車幅方向端部４２ａに相当する。この車幅方向端部４２ａにおいて、第一射出空間４１はｚ方向に沿って延在している。ここでいうｚ方向は、後述する型開き動作に伴って固定型２０に設けたスライドブロック９０がスライドする方向である。この場合、スライドブロック９０に設けられる第二成形面２１ａのうちスライド方向延在部４１ａを区画形成する部分が、第一層２のうちスライド方向延在部２ｂ（図４（ｂ）を参照）を成形するための第四成形面２１ｃとなる。
【００３０】
また、このスライド方向延在部４１ａの抜き勾配（型開き時の固定型２０側の抜き角度であり、図４でいえばｚ方向に対する第四成形面２１ｃの傾斜角をいう。）は、実質的に０°に設定されている。これにより、第一層２のスライド方向延在部２ｂとスライドブロック９０の第四成形面２１ｃとが、型開き動作の間、相互に摺動するようになっている。本実施形態では、第一層２のスライド方向延在部２ｂに隣接して穴部２ｃが形成されるよう（図４（ｂ）を参照）、スライド方向延在部２ｂを成形する第四成形面２１ｃが下方（ｚ方向）に延長して設けられている。
【００３１】
次に、上記構成の射出成形装置１０を用いたインパネ１の製造方法の一例を、主に図４〜図１０に基づいて説明する。
【００３２】
（Ｓ１）第一成形工程
まず図３に示すように固定型２０と可動型３０とを型締めした状態で、１個の射出ユニット５０ｃ（図１）を駆動して、射出材料Ｐ１を射出空間４０に向けて射出する。固定型２０と可動型３０とを型締めした状態では、射出空間４０のうち第一射出空間４１のみが固定型２０と可動型３０との間に形成されているので（図３）、出口側ゲート部２３を介して射出材料Ｐ１が第一射出空間４１のみに射出され、第一射出空間４１に対応した形状の成形部、すなわち第一層２が形成される（図５を参照）。また、スライドブロック９０に設けた第四成形面２１ｃにより、第一層２にｚ方向に延びるスライド方向延在部２ｂが形成されると共に、スライド方向延在部２ｂに隣接して第一層２に穴部２ｃが形成される（図４（ｂ）を参照）。
【００３３】
なお、この際（第一層２の成形時）、スライドブロック９０は、可動型３０に設けたスライド比調整面１２０によってスライド案内面１１０に沿ったスライドを規制された状態にある。また、追従ブロック１００は、可動型３０に設けたスライド規制面（図示は省略）によって型開き方向に沿ったスライドを規制された状態にある。また、図５に示す状態では、付勢部材９１に付勢力（ばねの場合、弾性復元力）が蓄積された状態にある。
【００３４】
（Ｓ２）第二成形工程
第一層２を形成した後、可動プラテン８０を駆動して可動型３０の型開き動作を開始する（図６を参照）。この際、可動型３０の型開き動作に伴って、スライド比調整面１２０が型開き方向に移動するので、スライドブロック９０のスライド規制状態が解消される。これにより、スライドブロック９０が付勢部材９１から付勢力を受けて、スライド案内面１１０に沿った向きのスライドを開始する。図３でいえば、型開き方向（左方向）から時計回りに傾斜角θ１だけ傾斜した向きに、スライドブロック９０がスライドを開始する。
【００３５】
一方、本実施形態では、可動型３０にスライド比調整面１２０を設けているので、スライドブロック９０がスライドを開始することで、スライドブロック９０の先端面９０ｂは、スライド比調整面１２０との摺動を開始する。これにより、スライドブロック９０がスライド案内面１１０に沿った向きのスライドを開始すると共に、スライド比調整面１２０に沿った向きのスライドを開始する。図３でいえば、型開き方向と反対の向き（右方向）から反時計回りに傾斜角θ２だけ傾斜した向きに、スライドブロック９０がスライドを開始する。
【００３６】
また、可動型３０の型開き動作に伴って、第一層２は可動型３０の成形面３１に保持された状態で可動型３０と一体的に型開き方向への移動を開始すると共に、可動型３０に設けた図示しないスライド規制面も移動を開始するので、追従ブロック１００のスライド規制状態が解消される。これにより、追従ブロック１００は、スライドブロック９０のスライド方向に移動しながら、図示しない付勢部材から付勢力を受けて、型開き方向に向けたスライドを開始する。この場合、追従ブロック１００の第三成形面２１ｂが第一層２の表面２ａに密着した状態を保ちながら、追従ブロック１００が可動型３０及び第一層２に追従して型開き方向に移動する。
【００３７】
このようにしてスライドブロック９０がスライドするにつれて、スライドブロック９０とその下方に位置する第一層２との間には鉛直方向（図６のｚ方向）の隙間が形成され、拡大していく。この隙間が最終的に第二層３を成形するための第二射出空間４２となる（図７）。一方、上述のようにして追従ブロック１００がスライドすることで、追従ブロック１００に設けた第三成形面２１ｂと第一層２の表面２ａとの密着状態が維持されるので、型開き動作の終了時まで、追従ブロック１００と第一層２との間に隙間が生じることはない（図７）。
【００３８】
そして、可動型３０を所定量だけ型開きした状態で停止させる。これにより、可動型３０に保持された状態の第一層２の表面２ａのうち上方を指向する領域２ａ１と、スライドブロック９０との間に所定の鉛直方向隙間ｔ１が形成される（図７）。また、第一層２の表面２ａのうち前方（型開き方向と反対の向き）を指向する領域でかつ第二層３が形成される領域２ａ２と、スライドブロック９０との間に所定の水平方向隙間ｔ２が形成される（図７）。これら隙間ｔ１，ｔ２を有する空間が、第二層３を射出成形するための第二射出空間４２となる。
【００３９】
ここで、図５に示す状態から図７に示す状態に至るまでの、スライドブロック９０のスライド案内面１１０に沿った向きのスライド量（以後、第一スライド量と称する。）をＳ１としたとき、第一スライド量Ｓ１は、鉛直方向成分Ｓ１ｚと、水平方向成分Ｓ１ｘとに分解することができる（図９（ａ）を参照）。また、上記スライドブロック９０のスライド比調整面１２０に沿った向きのスライド量（以後、第二スライド量と称する。）をＳ２としたとき、第二スライド量Ｓ２は、鉛直方向成分Ｓ２ｚと、水平方向成分Ｓ２ｘとに分解することができる（図９（ｂ）を参照）。このうち、第一スライド量Ｓ１の鉛直方向成分Ｓ１ｚは、第二射出空間４２のインパネ１上面部における鉛直方向隙間ｔ１に相当し、また、スライド案内面１１０とスライド比調整面１２０とで鉛直方向のスライド量は同じ（Ｓ１ｚ＝Ｓ２ｚ）になることを考慮すれば、図７に示す状態における第二射出空間４２の水平方向隙間ｔ２は、Ｓ１ｘ−Ｓ２ｘに等しいと考えることができる。以上より、可動型３０の型開き量と、スライド案内面１１０の傾斜角θ１と、スライド比調整面１２０の傾斜角θ２とを適宜設定することにより、第二射出空間４２における鉛直方向隙間ｔ１と水平方向隙間ｔ２がそれぞれ所定の大きさに制御される。
【００４０】
また、上述のように、型開き動作に伴い、スライドブロック９０がｘ方向及びｚ方向に移動したとき、スライドブロック９０の第四成形面２１ｃは、図８（ａ）に示すように、ｚ方向に移動する。この際、スライドブロック９０のスライド方向（ここではｚ方向成分）に対する第四成形面２１ｃの傾斜角が実質的に０°であるため、型開き動作の間、第四成形面２１ｃと第一層２のスライド方向延在部２ｂの表面とは摺動した状態を維持する。これにより、型開き動作の終了後において、当該摺動部分に、第二層３を射出成形するための射出材料Ｐ２（図１）をシールするためのシール部１３０が形成された状態となる。
【００４１】
以上のようにして、第二射出空間４２を形成した後、可動型３０を図７に示す位置に維持した状態で、２個の射出ユニット５０ａ，５０ｂ（図１）を駆動して、射出材料Ｐ２を射出空間４０に向けて射出する。固定型２０と可動型３０とを図７に示す如く型開きした状態では、射出空間４０のうち第二射出空間４２のみが固定型２０と可動型３０との間、正確には、固定型２０及び固定型２０に設けたスライドブロック９０と、可動型３０に保持された第一層２との間に形成されているので（図７）、出口側ゲート部２４を介して射出材料Ｐ２が第二射出空間４２のみに射出され、第二射出空間４２に対応した形状の成形部、すなわち第二層３が形成される（図１０を参照）。
【００４２】
また、インパネ１上面部の車幅方向端部においては、図８（ｂ）に示すように、第二層３が第一層２の上に形成されると共に、第二層３の端部には、第一層２のスライド方向延在部２ｂの表面とスライドブロック９０の第四成形面２１ｃとの間にシール部１３０が形成された状態であるため、スライド方向延在部２ｂの表面と第四成形面２１ｃとの間に射出材料が流れ込む事態が防止される。
【００４３】
図１０に示すように射出成形を行った後、可動型３０を図１０に示す状態からさらに型開き方向に移動させることで、インパネ１を固定型２０と可動型３０との間から取り出す。これにより、前面部及び上面部の表層部を除く領域をなす第一層２と、第一層２の上面部の表層部をなす第二層３とを一体に有する二層構造の射出成形品であるインパネ１が得られる。
【００４４】
このように、本発明に係るインパネ１の製造方法では、コアとしての可動型３０を型開き方向にスライドさせることで、可動型３０の成形面３１に保持された状態の第一層２とキャビティとしての固定型２０との間に第二層３を形成するための第二射出空間４２を形成する場合に、可動型３０の型開き動作の間、第一層２と固定型２０のスライドブロック９０とが摺動する部分を設けることにより、第二射出空間４２の端部４２ａをシールするようにした。このように第一層２とスライドブロック９０との摺動部分により第二射出空間４２の端部４２ａをシールすることによって、射出材料Ｐ２の不要な箇所（図１１（ｂ）に示す隙間２０５など）への流れ込みを防止して、第二層３を所要の位置及び範囲に形成することができる。よって、材料増加に伴うインパネ１の重量増加を防止でき、またその分の材料コスト高騰を回避することが可能となる。また、型開き動作の間、スライドブロック９０と摺動できるような第一層２のスライド方向延在部２ｂの表面は、この表面に近接する第二層３の表面（図８のｚ方向）と実質的に直交する向きに形成される（図８（ｂ）を参照）。そのため、仮に摺動に伴いスライド方向延在部２ｂの表面に擦り傷が生じたとしても、第二層２の表面を含むインパネ１の意匠品質に影響を及ぼす心配もない。  
【００４５】
また、本実施形態では、第一層２のスライド方向延在部２ｂに隣接して穴部２ｃが形成されるよう（図４（ｂ）を参照）、スライド方向延在部２ｂを成形する第四成形面２１ｃがｚ方向に延長して設けられている。そのため、型開き動作によるスライドブロック９０のスライド量ｚ方向成分Ｓ１ｚを大きくした場合であっても、スライド方向延在部２ｂと第四成形面２１ｃとの摺動状態を維持して、シール性を確保することが可能となる。言い換えると、スライド方向延在部２ｂのｚ方向長さが小さい場合であっても穴部２ｃの寸法の分だけ、摺動距離を稼いで、シール性を確保することが可能となる。
【００４６】
もちろん、本発明に係るインパネ１の製造方法によれば、一種類の金型（一対の固定型２０及び可動型３０）のみで二層構造のインパネ１を射出成形することができるので、製造コスト、設置スペースの面でも良好であり、また金型（固定型２０及び可動型３０）の交換動作等も必要ないため、生産性の面でも良好である。以上より、本発明によれば、二層構造をなす高品質の自動車用インパネ１を低コストに量産することが可能となる。
【００４７】
以上、本発明の一実施形態について述べたが、本発明に係る射出成形品の製造方法は、その趣旨を逸脱しない範囲において、上記以外の構成を採ることも可能である。
【００４８】
例えば、上記実施形態では、第一層２のスライド方向延在部２ｂに隣接して穴部２ｃが形成されるよう（図４（ｂ）を参照）、スライド方向延在部２ｂを成形する第四成形面２１ｃがｚ方向に延長して設けられる場合を例示したが、もちろんこれには限られない。型開き動作が終了した状態において、第一層２のスライド方向延在部２ｂと第四成形面２１ｃとの間にシール部１３０となる摺動部分が維持されるのであれば、穴部２ｃは必ずしも必要でない。意匠面、強度面等の観点から穴部２ｃを省略することも可能である。
【００４９】
あるいは、型開き動作が終了した状態において、第一層２と第四成形面２１ｃとの間にシール部１３０となる摺動部分が維持されるのであれば、スライド方向延在部２ｂは必ずしも必要でない。図示は省略するが、第一層２の穴部２ｃの深さ寸法（ｚ方向寸法）を調整することによって、型開き動作の間、第一層２と第四成形面２１ｃとの間に摺動部分を維持することも可能である。
【００５０】
また、上記実施形態では、スライドブロック９０に設けた第四成形面２１ｃと第一層２との間に摺動部分を設けて、第一層２とスライドブロック９０との間をシールする場合を例示したが、もちろん場所によっては、これ以外の構成をとることも可能である。すなわち、図示は省略するが、固定型２０に設けた第一成形面２１のうち、スライドブロック９０を除く領域と、第一層２との間に摺動する部分を設けて、この摺動部分をシールしてもよい。また、この場合、摺動方向はｚ方向に限らず、例えばｘ方向であってもよい。
【００５１】
また、上記実施形態では、第二層３をインパネ１の上面部から前面部の一部にわたって形成する場合を例示したが、第二層３をインパネ１の上面部のみに形成してもよい。この場合には、可動型３０に設けたスライド比調整面１２０を省略してもよい。もちろん、第二層３を第一層２の表面２ａの全域にわたって形成してもよい。
【００５２】
また、上記実施形態では、スライドブロック９０とスライド案内面１１０を設けて、型開き動作に伴い、スライドブロック９０をスライド案内面１１０に沿ってスライドさせることで、第一層２の表面２ａのうち上方を指向する領域２ａ１と固定型２０（キャビティ）との間に第二射出空間４２を形成する場合を例示したが、もちろん第二射出空間４２の形成手段は、これには限られない。例えば設置スペース等の点で問題がないようであれば、シリンダなど所定の駆動装置でスライドブロック９０を型開き方向と異なる向きにスライドさせる構成を採ることも可能である。この場合、スライド案内面１１０を省略してもよい。
【００５３】
また、以上の説明では、射出成形品としてインパネ１を射出成形品として製造する場合を例示したが、もちろん、インパネ１以外の種類の射出成形品を二層構造とする場合にも、本発明を適用することが可能である。
【符号の説明】
【００５４】
１      インパネ
２      第一層
２ａ    表面
２ｂ    スライド方向延在部
３      第二層
１０    射出成形装置
２０    固定型
２１    成形面（第一成形面）
２１ａ  第二成形面
２１ｂ  第三成形面
２１ｃ  第四成形面
２２    入口側ゲート部
２３，２４  出口側ゲート部
３０    可動型
３１    成形面
４０    射出空間
４１    第一射出空間
４２    第二射出空間
４２    端部
５０ａ，５０ｂ，５０ｃ  射出ユニット
６０    ホットランナ
７０    固定プラテン
８０    可動プラテン
９０    スライドブロック
９１    付勢部材
１００  追従ブロック
１１０  スライド案内面
１２０  スライド比調整面
１３０  シール部
Ｐ１，Ｐ２  射出材料
Ｓ１    第一スライド量（スライド案内面）
Ｓ１ｘ  水平方向成分
Ｓ１ｚ  鉛直方向成分
Ｓ２    第二スライド量（スライド比調整面）
Ｓ２ｘ  水平方向成分
Ｓ２ｚ  鉛直方向成分
ｔ１    鉛直方向隙間
ｔ２    水平方向隙間
【図１】
2020104396.tif 000003
【図２】
2020104396.tif 000004
【図３】
2020104396.tif 000005
【図４】
2020104396.tif 000006
【図５】
2020104396.tif 000007
【図６】
2020104396.tif 000008
【図７】
2020104396.tif 000009
【図８】
2020104396.tif 000010
【図９】
2020104396.tif 000011
【図１０】
2020104396.tif 000012
【図１１】
2020104396.tif 000013